(57)【要約】  洗濯機のためのバスケットアセンブリ（２４）は、バスケットと、バスケットに隣接した支持ブラケット（３６）とを有する。バスケットは、第１の端部（５４）と、第２の端部（５６）とを有しており、洗濯物を受け入れるための第１の端部において空洞を形成している。支持ブラケット（３６）は基部（４０）を有しており、この基部は、前側（４２）と、前側から延びた少なくとも２つの取付部（６０）とを有する。取付部は、互いに間隔を置いて配置されており、バスケットの第２の端部（５６）に結合されている。少なくとも２つのフィン（７４）は、基部の前側からバスケットの第１の端部に向かって一体に延びている。フィン（７４）は、取付部を補強するために支持ブラケット（３６）の取付部（６０）と一体である。
2010531690.tif 000002
【特許請求の範囲】
【請求項１】
洗濯機のためのバスケットアセンブリにおいて、
バスケットが設けられており、該バスケットが、軸線と、該軸線に沿って間隔を置いて配置された第１の端部及び第２の端部とを有しており、前記バスケットが、洗濯物を受け入れるための第１の端部において空洞を形成しており、
前記バスケットの前記第２の端部に隣接した支持ブラケットが設けられており、該支持ブラケットに、
前側を有する基部と、
前記前側から延びた、前記軸線に関して周方向に互いに間隔を置いて配置された少なくとも２つの取付部とが設けられており、該取付部が前記第２の端部において前記バスケットに結合されており、
前記基部の前記前側から前記バスケットの前記第１の側に向かって一体に延びた少なくとも２つのフィンが設けられており、該フィンが、前記取付部を補強するために前記支持ブラケットの前記取付部と一体であることを特徴とする、洗濯機のためのバスケットアセンブリ。
【請求項２】
前記取付部が、前記バスケットに隣接して前記第１の端部に向かって延びていることを特徴とする、請求項１記載のバスケットアセンブリ。
【請求項３】
前記フィンが、前記取付部から前記軸線に向かって延びていることを特徴とする、請求項１及び２記載のバスケットアセンブリ。
【請求項４】
前記フィンの少なくとも２つが、前記軸線において互いに交差していることを特徴とする、請求項１から３までのいずれか１項記載のバスケットアセンブリ。
【請求項５】
前記支持ブラケットが、前記前側から延びた、前記取付部と交互に配置されながら前記軸線に関して周方向に互いに間隔を置いて配置された、少なくとも２つの中間部を有することを特徴とする、請求項１から４までのいずれか１項記載のバスケットアセンブリ。
【請求項６】
各中間部が、１つの取付部から別の取付部まで延びていることを特徴とする、請求項５記載のバスケットアセンブリ。
【請求項７】
前記取付部及び前記中間部のうちの１つが、少なくとも部分的に前記空洞に配置されていることを特徴とする、請求項５記載のバスケットアセンブリ。
【請求項８】
前記バスケットに隣接して前記中間部の１つから前記バスケットの前記第１の端部に向かって延びたフランジが設けられていることを特徴とする、請求項５から７までのいずれか１項記載のバスケットアセンブリ。
【請求項９】
前記フランジが、さらに、前記取付部と交互に配置されながら、１つの取付部から別の取付部まで延びた少なくとも２つのフランジとして形成されていることを特徴とする、請求項８記載のバスケットアセンブリ。
【請求項１０】
前記支持ブラケットが、チャネルを形成しており、前記バスケットが、該バスケットの前記第２の端部において前記チャネル内に部分的に配置されていることを特徴とする、請求項７記載のバスケットアセンブリ。
【請求項１１】
前記軸線に関して前記中間部のうちの少なくとも１つから外方に間隔を置いて配置された少なくとも１つの外壁が設けられており、該外壁と前記中間部との間に前記チャネルを形成していることを特徴とする、請求項１０記載のバスケットアセンブリ。
【請求項１２】
前記外壁が、さらに、前記取付部の間において前記中間部に沿って延びた少なくとも２つの外壁として形成されており、前記外壁が、該外壁の間に空間を形成しており、該空間が、前記軸線に関して周方向に延びており且つ前記軸線に関して前記取付部のうちの少なくとも１つから外方へ延びていることを特徴とする、請求項１記載のバスケットアセンブリ。
【請求項１３】
前記バスケットが、前記空間を横切って延びており、前記バスケットが、前記空間において前記取付部に結合されていることを特徴とする、請求項１２記載のバスケットアセンブリ。
【請求項１４】
前記空間において、前記バスケット及び前記取付部のうちの一方を貫通して、前記バスケット及び前記取付部のうちの他方の内部へ延びた、締結具が設けられていることを特徴とする、請求項１３記載のバスケットアセンブリ。
【請求項１５】
前記取付部及び前記中間部が、前記空洞内に少なくとも部分的に配置されていることを特徴とする、請求項１から１４までのいずれか１項記載のバスケットアセンブリ。
【請求項１６】
前記空洞が、前記第２の端部を貫通して延びていることを特徴とする、請求項１から１５までのいずれか１項記載のバスケットアセンブリ。
【請求項１７】
前記支持ブラケットが、前記バスケットの前記第２の端部において前記空洞を閉鎖していることを特徴とする、請求項１６記載のバスケットアセンブリ。
【請求項１８】
前記バスケット及び前記取付部のうちの一方を貫通して、前記バスケット及び前記取付部のうちの他方の内部へ延びた締結具が設けられていることを特徴とする、請求項１から１７までのいずれか１項記載のバスケットアセンブリ。
【請求項１９】
前記支持ブラケットが、ポリアルキレンテレフタレートから形成されていることを特徴とする、請求項１から１８までのいずれか１項記載のバスケットアセンブリ。
【請求項２０】
前記ポリアルキレンテレフタレートが、繊維によって強化されていることを特徴とする、請求項１９記載のバスケットアセンブリ。
【請求項２１】
前記ポリアルキレンテレフタレートが、ガラス繊維で強化されており、前記ポリアルキレンテレフタレートが、３０％〜５０％のガラス含有率を有することを特徴とする、請求項１９記載のバスケットアセンブリ。
【発明の詳細な説明】
【技術分野】
【０００１】
関連出願とのクロスリファレンス
本特許出願は、２００７年６月２９日に出願された米国特許仮出願第６０／９４７１７０号明細書の優先権及び全ての利益を請求し、前記明細書の全ての内容は、ここで引用したことにより本明細書に記載されたものとする。
【０００２】
発明の背景
１．発明の分野
本発明は、概して、洗濯機のためのバスケットアセンブリ、特にバスケットアセンブリのバスケット及び支持ブラケットに関する。
【０００３】
２．関連技術の説明
洗濯機は、洗濯されるべき物品を収容するためのバスケットアセンブリを有する。バスケットアセンブリは、このような物品を撹拌するように回転可能であり、バスケットアセンブリの回転はバスケットアセンブリに応力を生ぜしめる。
【０００４】
洗濯機は、洗濯液の供給を受け取る槽を有する。槽は中空であり、バスケットアセンブリは槽内に配置されている。バスケットアセンブリは、中空で且つ洗濯液を受け取るために透過性のバスケットを有する。バスケットは第１の端部と第２の端部との間に延びている。第１の端部は洗濯物を受け入れるために開放しており、第２の端部には裏板が圧着されている。裏板に隣接した第２の端部にブラケットが取り付けられている。駆動ロッドはブラケットに係合させられており、洗濯機は、駆動ロッドを回転させるために駆動ロッドに係合するモータを有する。モータによる駆動ロッドの回転はバスケットアセンブリを回転させる。この回転はバスケット及びブラケットに応力を加える。
【０００５】
ブラケットは通常、駆動ロッドの回転により生じる応力に耐えるように金属から形成されている。金属は、比較的高価な材料であり、洗濯液との接触により腐食を生じる。さらに、バスケットアセンブリの組立て工程は、バスケットの第２の端部に裏板を圧着し、その後ブラケットをブラケットに圧着することを含む複数の工程を伴う。複数の工程は時間の浪費である。さらに、圧着工程は時間を浪費する工程である。
【０００６】
したがって、材料／製造の観点及び組立ての観点からより費用対効果の高いまま、バスケットアセンブリがより耐久性になるように、より少ない構成部材を有し且つより安価でかつ耐腐食性の構成部材を有する洗濯機のためのバスケットアセンブリを設計することが有利である。
【０００７】
発明の概要及び利点
本発明は、洗濯機のためのバスケットアセンブリを含む。バスケットアセンブリは、軸線と、軸線に沿って間隔を置いて配置された第１の端部及び第２の端部とを有するバスケットを有しており、このバスケットは、洗濯物を受け入れるために第１の端部に空洞を形成している。支持ブラケットがバスケットの第２の端部に隣接している。支持ブラケットは基部を有しており、基部は、前側と、少なくとも２つの取付け部分とを有しており、これらの取付け部分は、前側から延びており、軸線に対して周方向に互いに間隔を置いて配置されており、取付け部は、第２の端部においてバスケットに結合されており、さらに前記基部は、基部の前側からバスケットの第１の端部に向かって一体に延びている少なくとも２つのフィンを有しており、フィンは、取付け部を補強するために支持ブラケットの取付け部分と一体である。
【０００８】
支持ブラケットは、有利には、ブラケットアセンブリの十分な強度、剛性、及び耐久性を維持しながら、ブラケットアセンブリに関連した部材の数を減少させる。特に、支持ブラケットは、従来技術の裏板及びブラケットを１つの構成部材に統合することによって、従来のバスケットの複数の構成部材と置き換わっている。部材の統合は、バスケットアセンブリを組み立てるために必要とされる工程の数を減少させ、従来技術のバスケットに裏壁を圧着するために必要とされる、時間を浪費する圧着工程を排除する。さらに、フィンが、取付け部と一体でありかつ取付け部を補強しているので、支持ブラケットは、洗濯機の様々なサイクルの間に支持ブラケットが受ける応力に耐えるための、強度、剛性及び耐久性を有している。
【０００９】
本発明のその他の利点は、添付の図面に関連して考慮された場合に以下の詳細な説明を参照することによってさらによく理解されるので、容易に認められるであろう。
【図面の簡単な説明】
【００１０】
【図１】バスケットアセンブリを有する洗濯機の切り取られた斜視図である。
【図２】バスケットアセンブリの分解図である。
【図３】バスケットアセンブリの支持ブラケットの斜視図である。
【図４Ａ】図３の線４に沿って見たバスケットアセンブリの断面図である。
【図４Ｂ】図４Ａの部分の拡大図である。
【図４Ｃ】図４Ａの別の部分の拡大図である。
【図５Ａ】支持ブラケットの別の実施形態の斜視図である。
【図５Ｂ】図５Ａに示された実施形態の別の斜視図である。
【００１１】
発明の詳細な説明
図面において同じ参照符号は複数の図面を通じて対応する部材を示しており、図面を参照すると、洗濯機２０、例えば洗濯物を洗濯するための洗濯機、のためのバスケットアセンブリ２４が概略的に示されている。洗濯機２０は、工業において自動洗濯機とも呼ばれる。洗濯機２０は、キャビネット２１と、キャビネット２１内に配置された槽２２とを有している。洗濯機２０は、図１に示されているような上部投入型ユニットに限定されず、本発明の本質から逸脱せずに、種々異なる構成、例えば側部投入型ユニットを有することもできることも認められるべきである。
【００１２】
槽は、洗濯液、例えば洗濯洗剤及び水の供給を受け取る。キャビネット２１は、蓋を有しており、この蓋は、槽２２にアクセスするために開放され、槽２２をキャビネット２１内に包囲するために閉鎖される。
【００１３】
バスケットアセンブリ２４は、槽２２内に部分的に配置されている。図２及び図４Ａ〜Ｃに示されているように、バスケットアセンブリ２４は、支持ブラケット３６と、支持ブラケット３６に連結されたバスケット３８とを有している。バスケット３８は、中空であり、洗濯されるべき物品、例えば洗濯物を受け入れる。バスケット３８は、工業において洗濯バスケットとも呼ばれる。
【００１４】
バスケット３８は、軸線Ａと、軸線Ａに沿って間隔を置いて配置された第１の端部５４及び第２の端部５６とを有している。バスケット３８は、第１の端部５４と第２の端部５６との間に延びた壁部５２を有しており、第１の端部５４に、洗濯物を受け入れるための空洞２６を形成している。バスケット３８は透過性である、すなわち、空洞２６は槽２２と流体連通している。通常、空洞２６は第１の端部５４と第２の端部５６とを通って延びている、すなわち、バスケット３８は第１及び第２の端部５４，５６の両方において開放しているが、バスケット３８は、本発明の本質から逸脱せずに、第２の端部において閉鎖されることができる。バスケット３８は通常、円筒状である。通常、バスケット３８はプラスチック又は金属から形成されている。
【００１５】
モータ（図示せず）は、通常、バスケットアセンブリ２４の下方に配置されており、支持ブラケット３６に連結されている。モータは、バスケットアセンブリ２４内の洗濯物及び洗浄液を撹拌するためにバスケットアセンブリ２４を槽２２に対して回転及び／又は揺動させる。
【００１６】
図１に示されているように、槽２２は、第１の槽半部２８と、第１の槽半部２８に取り付けられた第２の槽半部３０とを有している。第１及び第２の槽半部２８，３０は通常、円筒状であり、第１及び第２の槽半部２８，３０の内部にバスケットアセンブリ２４を収容するために中空である。第２の槽半部３０は、開口３４を有しており、蓋が、開口３４の近傍において第２の槽半部３０に枢着されている。蓋は、開口３４を露出させるために開放させられ、開口３４を閉鎖するために閉鎖される。槽２２は、ここでは典型的な目的のために説明されているが、槽２２は、本発明の本質から逸脱せずに、あらゆる適切な構成を有することができることが認められるべきである。
【００１７】
バスケットアセンブリ２４は、バスケットアセンブリ２４の空洞２６が第２の槽半部３０の開口３４と整合させられるように槽２２において整合させられている。つまり、蓋が開かれている時、洗濯される物品は、第２の槽半部３０の開口３４を通じてバスケットの空洞２６内へ投入される。蓋は、通常、洗濯工程のために閉鎖される。
【００１８】
支持ブラケット３６の１つの実施形態が図１〜図４Ｃに示されており、支持ブラケット３６の別の実施形態が図５Ａ〜図５Ｂに示されている。図２〜図５Ｂに最も詳細に示されているように、支持ブラケット３６は基部４０を有している。基部４０は、通常、円筒状の周囲を有しており、バスケット３８に面した前側４２と、第１の槽半部２８に面した裏側４４とを有している。基部４０の周縁は通常はバスケット３８に当接しており、基部４０の周縁はバスケット３８に対応して成形されていることが認められるべきである。以下に示すように、支持ブラケット３６は通常一体のユニットとして形成されている、すなわち、支持ブラケット３６の全ての特徴は一体である。しかしながら、支持ブラケット３６は、後から結合される個々の部材から形成されることもできることが認められるべきである。
【００１９】
支持ブラケット３６は、プラスチック材料、特に熱可塑性材料から形成されている。特に、支持ブラケット３６は、ポリブチレンテレフタレート（ＰＢＴ）等のポリアルキレンテレフタレートから形成されている。ポリアルキレンテレフタレートは、例えばガラス繊維等の繊維で強化されることができる。ガラスで強化される場合、ポリアルキレンテレフタレートは通常、３０％〜５０％のガラス含有率を有する。支持ブラケット３６に適した繊維強化ＰＢＴの例は、ニュージャージー州フローハムパークのＢＡＳＦコーポレーションから、商品名Ultradur(R) B4330 G6 HR又はUltradur(R) B4330 G10 HRで市販されているものである。支持ブラケット３６に適した繊維強化ＰＢＴの別の例は、ＢＡＳＦコーポレーションから、商品名Ultradur(R) B4040 G6 HR又はUltradur(R) B4040 G10 HRで市販されているものである。支持ブラケットは、本発明の本質から逸脱せずに、あらゆるタイプの適切なプラスチック材料から形成されてよい。あらゆる場合に、支持ブラケット３６の材料は好適には耐加水分解性である。支持ブラケット３６は通常、プラスチック射出成形によって形成される。
【００２０】
図３、図４Ａ及び図５Ａに示されているように、支持ブラケット３６は、基部４０から一体に延びたスリーブ部４６を有しており、すなわち、スリーブ部４６と基部４０とは１つの連続するユニットとして形成されている。しかしながら、基部４０とスリーブ部４６とは、別個の部材として形成され、その後に、本発明の本質から逸脱することなく、例えば接着剤、融着、又は機械的締結によって互いに取り付けられてよい。
【００２１】
スリーブ部４６は孔４８を形成しており、駆動ロッド５０が孔４８に取り付けられており且つこの孔４８から延びている。駆動ロッド５０は、第１の槽半部２８の貫通孔を貫通して延びており、洗濯機のモータに係合している。択一的に、駆動ロッド５０は、例えば、少なくとも１つのベルト及びプーリを含むシステムを用いてモータに連結されている。スリーブ部４６及び基部４０の組合せは、支持ブラケット３６における応力を分散させ、支持ブラケット３６は、駆動ロッド５０の回転により生じる高い荷重に耐えることができる。支持ブラケット３６の基部４０は、支持ブラケット３６がこのような高い荷重に耐えることができるように十分な深さを備えて設計されている。さらに、スリーブ部４６及び基部４０の組合せは、支持ブラケット３６の重量を減じ、費用対効果を高める。
【００２２】
駆動ロッド５０はスリーブ部４６の孔４８にプレスばめされている。択一的に、駆動ロッド５０は、スリーブ部４６と共にインサート成形されている。インサート成形プロセスは、駆動ロッド５０をプラスチック射出成形型に配置し、その後、駆動ロッド５０の部分に被さるように溶融プラスチックを型内に射出することを含む。あらゆる場合に、駆動ロッド５０はスリーブ部４６の孔４８に係合しており、駆動ロッド５０及びスリーブ部４６は互いに対して不動である。
【００２３】
図３及び図５Ａに最も詳細に示されているように、支持ブラケット３６は、基部４０の裏側４４から延びた複数のリブ６８を有する。図３に示された実施形態において、支持ブラケット３６は、基部４０の周囲に沿って延びたリップ７０を有しており、リブ６８はリップ７０に取り付けられている。リブ６８は、支持ブラケット３６の強度及び剛性を増大する。基部４０と、リブ６８と、リップ７０とは互いに一体である、すなわち、基部４０と、リブ６８と、リップ７０とは１つの連続するユニットとして形成されている。基部４０と、リブ６８と、リップ７０とは、別個の部材として形成され、その後に、本発明の本質から逸脱することなく、例えば接着剤、融着、又は機械的締結によって互いに取り付けられてよい。
【００２４】
図２〜図４Ｃに示されているように、支持ブラケット３６は、複数の取付部６０と、複数の中間部５８とを有する。各取付部６０は、基部４０の前側４２から延びており、取付部６０は、軸線Ａに関して周方向に互いから間隔を置いて配置されている。各中間部５８は前側４２から延びており、取付部６０と交互に配置されながら、軸線に関して周方向に互いから間隔を置いて配置されている。図示された実施形態において、支持ブラケット３６は、３つの取付部６０と、３つの中間部５８とを有している。しかしながら、支持ブラケット３６は、本発明の本質から逸脱することなく、あらゆる数の取付部６０及び中間部５８を有することができる。
【００２５】
取付部６０はバスケット３８に結合され、モータが支持ブラケット３６を回転させた時に支持ブラケット３６の回転をバスケット３８に伝達する。例えば、締結具６６が、バスケット３８及び取付部６０の一方を貫通して、バスケット３８及び取付部６０の他方の内部へ延びている。図示された実施形態において、各取付部６０は少なくとも１つの孔６３を有しており、バスケット３８は、取付部６０における孔６３と対応する少なくとも１つのオリフィス６４を有しており、オリフィス６４が孔６３と整合させられることができる。締結具６６は、オリフィス６４を貫通して延びており、対応する孔６３に係合している。例えば、締結具６６は、リベット又はねじ等のねじ山付き締結具である。
【００２６】
中間部５８は、バスケット３８が回転させられた時にバスケット３８の形状を維持するようにバスケット３８を支持するために、通常はバスケット３８に当接している。特に、バスケットアセンブリ２４の回転中に、洗濯物及び洗濯液はバスケット３８に遠心力を加える。中間部５８は、バスケット３８が回転させられる時にバスケット３８の変形を制限又は阻止する。
【００２７】
支持ブラケット３６は、通常、空洞２６に投入された洗濯物を支持するためにバスケット３８の第２の端部５６において空洞２６を閉鎖している。取付部６０及び中間部５８は、少なくとも部分的に空洞２６に配置されており、通常は、全体が空洞２６に配置されている。取付部６０は、バスケット３８に隣接しながらバスケット３８の第１の端部５４に向かって延びている。
【００２８】
支持ブラケット３６は、基部４０の前面４２からバスケット３８の第１の端部５４に向かって一体に延びている複数のフィン７４を有している。フィン７４は、取付部６０を補強するために支持ブラケット３６の取付部６０と一体である。フィン７４は、通常は、取付部６０から軸線Ａに向かって延びている。また、フィン７４は、通常は、軸線Ａに向かって延びており、軸線Ａにおいて互いに交差している。
【００２９】
フィン７４は、取付部６０における支持ブラケット３６の強度、剛性、及び耐久性を高めるために取付部６０を支持及び補強している。モータが支持ブラケット３６を回転させる場合、回転は、取付部６０において支持ブラケット３６からバスケット３８へ伝達される。この回転の伝達は、取付部６０において応力を生ぜしめる。フィン７４は、取付部６０を補強し、このような応力を基部４０の他の部分に分散させる。さらに、フィン７４は、バスケットアセンブリ２４が回転させられる時に洗濯物及び洗濯液を撹拌することを補助する。
【００３０】
フィン７４に加えて、バスケットアセンブリ２４は、撹拌機（図示せず）、例えば基部４０に取り付けられており且つ基部４０の前側４２から延びたらせん状部、を有していてもよい。図２及び図４に最も詳細に示されているように、バスケットアセンブリ２４は、バスケット３８の第２の端部５６に取り付けられた前側リング８２を有している。前側リング８２は、例えばリベット又はねじ山付き締結具を用いてバスケット３８に取り付けられている。
【００３１】
図１〜図４Ｃに示された実施形態において、支持ブラケット３６はチャネル６２を形成しており、バスケット３８は、バスケット３８の第２の端部５６において部分的にチャネル６２内に配置されている。特に、支持ブラケット３６は、軸線Ａに関して中間部５８から外方へ間隔を置いて配置された外壁６１を有しており、これにより、外壁６１と中間部５８との間にチャネル６２を形成している。
【００３２】
外壁６１は、取付部６０の間に中間部５８に沿って延びている。外壁６１は、軸線Ａに関して互いに周方向に間隔を置いて配置されており、これにより、隣接する外壁６１の間に空間８６を形成している。空間８６は、軸線Ａに関して周方向に延びており、軸線Ａに関して取付部６０の外方に延びている。バスケット３８は、１つのチャネル６２から別のチャネル６２へ空間８６を横切って延びている。バスケット３８は、通常、空間８６において取付部６０に結合されている。
【００３３】
図２〜図４Ａに示されているように、支持ブラケット３６は、フィン７４から上方に延びたアーム７６を有している。アーム７６は、基部４０及びフィン７４と一体である、すなわち、基部４０及びフィン７４は、１つの連続するユニットとして形成されている。アーム７６と、基部４０と、フィン７４とは、別個の部材として形成され、その後に、本発明の本質から逸脱することなく、例えば接着剤、融着、又は機械的締結によって互いに取り付けられてもよい。
【００３４】
各アーム７６は少なくとも１つの締結具孔７９を有しており、バスケット３８は、アーム７６における締結具孔７９と対応する少なくとも１つの締結具オリフィス７８を有しており、バスケット３８が基部４０に取り付けられる時に各締結具オリフィス７８が締結具孔７９のうちの１つと整合する。締結具６６は、締結具オリフィス７８のそれぞれを貫通して延び、対応する締結具孔７９に係合する。例えば、締結具６６は、リベット又はねじ等のねじ山付き締結具である。アーム７６は通常、補強リブ８０を有している。
【００３５】
アーム７６は、バスケットアセンブリ２４が回転させられた時にバスケット３８の変形を阻止するようにバスケット３８を補強している。さらに、アーム７６は、バスケット３８からの応力を吸収することによって取付部６０を補強する。
【００３６】
図５Ａ〜図５Ｂに示された実施形態において、支持ブラケット３６は、バスケット３８に隣接して中間部５８からバスケット３８の第１の端部５４に向かって延びたフランジ８４を有している。フランジ８４は、通常、取付部６０と交互に配置されながら延びており、１つの取付部６０から別の取付部６０まで延びている。
【００３７】
バスケット３８の変形を阻止するためにバスケット３８を補強するためにフランジ８４はバスケット３８に当接している。さらに、フランジ８４は取付部６０を補強している。
【００３８】
発明は、例示形式で説明されており、使用された技術用語は限定ではなく説明の言葉の性質を持つことが意図されていることが理解されるべきである。明らかに、上述の開示を考慮して本発明の多くの変更が可能であり、発明は、具体的に説明されたものとは異なるように実施されてもよい。
【符号の説明】
【００３９】
２０  洗濯機、  ２１  キャビネット、  ２２  槽、  ２４  バスケットアセンブリ、  ２６  空洞、  ２８  第１の槽半部、  ３０  第２の槽半部、  ３４  開口、  ３６  支持ブラケット、  ３８  バスケット、  ４０  基部、  ４２  前側、  ４４  裏側、  ４６  スリーブ部、  ４８  孔、  ５０  駆動ロッド、  ５２  壁部、  ５４  第１の端部、  ５６  第２の端部、  ５８  中間部、  ６０  取付部、  ６１  外壁、  ６２  チャネル、  ６３  孔、  ６４  オリフィス、  ６６  締結具、  ６８  リブ、  ７０  リップ、  ７４  フィン、  ７６  アーム、  ７８  締結具オリフィス、  ７９  締結具孔、  ８０  補強リブ、  ８２  前側リング、  ８４  フランジ、  ８６  空間
【図１】
2010531690.tif 000003
【図２】
2010531690.tif 000004
【図３】
2010531690.tif 000005
【図４Ａ】
2010531690.tif 000006
【図４Ｂ】
2010531690.tif 000007
【図４Ｃ】
2010531690.tif 000008
【図５Ａ】
2010531690.tif 000009
【図５Ｂ】
2010531690.tif 000010
【国際調査報告】
2010531690.tif 000011
2010531690.tif 000012